(57)【特許請求の範囲】
【請求項１】
ガスの流量を測定するための流量測定手段と、
この流量測定手段による測定値に対して平滑化処理を施す第１の平滑化手段と、
この第１の平滑化手段による平滑化処理後の値に応じて、その値をそのまま出力するか、あるいは他の値に置き換えて出力するかを判定し、その値を出力する判定手段と、
この判定手段からの出力値に対して平滑化処理を施す第２の平滑化手段と、
この第２の平滑化手段による平滑化処理後の値を積算し、その積算値が所定の範囲を超えたときに、前記第２の平滑化手段による平滑化処理後の値を出力する緩衝手段と、
この緩衝手段からの出力値を積算する積算手段と
を備えたことを特徴とするガスメータ。
【請求項２】
前記判定手段は、前記第１の平滑化手段による平滑化処理後の値が所定のしきい値を超えているときはその値をそのまま出力する一方、前記第１の平滑化手段による平滑化処理後の値が前記所定のしきい値以下のときは前記平滑化処理後の値を零に置き換えて出力することを特徴とする請求項１記載のガスメータ。
【請求項３】
前記第１の平滑化手段は、前記流量測定手段による測定値を所定の周期で取得し、前回の演算結果と今回取得した測定値とを所定の重み付けをもって平均化する演算を行うことにより、前記流量測定手段による測定値に対して平滑化処理を施すことを特徴とする請求項１記載のガスメータ。
【請求項４】
前記第２の平滑化手段は、前回の演算結果と今回の判定手段からの出力値とを所定の重み付けをもって平均化する演算を行うことにより、前記判定手段からの出力値に対して平滑化処理を施すことを特徴とする請求項１記載のガスメータ。
【発明の詳細な説明】
【０００１】
【発明の属する技術分野】
本発明は、圧力変動等の外乱の影響による誤計測を防止する手段を有するガスメータに関する。
【０００２】
【従来の技術】
ガスメータに利用される流量計として、フルイディック流量計が知られている。このフルイディック流量計は、噴流を発生させるノズルの下流側に、一対の側壁によって流路拡大部を形成すると共に、側壁の外側に設けられたリターンガイドによって、ノズルを通過した流体を各側壁の外側に沿ってノズルの噴出口側へ導く一対のフィードバック流路を形成し、ノズルを通過した流体が一対のフィードバック流路を交互に流れる現象（以下、フルイディック発振という。）を利用し、フルイディック発振の周波数に基づいて流体の流量を計量するものである。
【０００３】
このフルイディック流量計は測定領域があまり広くないため、例えば特開平４−３１５９１６号公報に示されるように、フルイディック流量計と、微小流量の測定に適したフローセンサとを併用したガスメータも提案されている。フローセンサは、発熱部と、この発熱部の前後に配置された２つの温度センサとを有し、２つの温度センサで検出される温度の差が気体の流速と関係することを利用した流速センサである。
【０００４】
【発明が解決しようとする課題】
ところで、このフローセンサでは、実際の流量が零のときでも、気体の圧力変動等の外乱があった場合に流量が検出されるという特性がある。そこで、フローセンサを有する従来のガスメータでは、実際の流量が零のときに外乱の影響によって検出された測定流量を積算しないように、例えばマイナス側に４リットル、プラス側に１リットルのバッファ機能を備えていた。ここで、プラス側とは、ガス供給側（上流側）からガス機器側（下流側）に向かう順方向の流れを意味し、マイナス側とは、ガス機器側からガス供給側に向かう逆方向の流れを意味する。このバッファ機能によれば、測定流量を積算した値がマイナス側４リットル、プラス側１リットルの範囲内で変動する場合には、マイナス側で積算される測定流量とプラス側で積算される測定流量とが相殺され、ガスメータの流量積算値は変化しない。
【０００５】
しかしながら、従来のバッファ機能を備えたガスメータでは、実際の流量が零のときでも、外乱の影響によって検出された測定流量が大きく、測定流量を積算した値がプラス側のバッファ機能の範囲を越える場合には、ガスメータの流量積算値としての積算が行われてしまうという問題点があった。このことを、図４を用いて具体的に説明する。
【０００６】
図４（ａ）は流量が零のときに外乱の影響によってフローセンサの部分を通過するガスの流れの時間的変化を表すものである。同図（ｂ）はフローセンサの出力を一定周期Ｔごとにサンプリングして得られた測定流量の時間的変化を表し、同図（ｃ）はガスメータの流量積算値の変化を表す。ここで、フローセンサからの出力は、実際には、例えば流量に応じた数のパルス信号として出力されるようになっている。また、サンプリング周期Ｔは、例えば６秒程度に設定される。
【０００７】
フローセンサの部分を通過するガスの流れは、そのガスメータの設けられているガス消費機器側が非使用状態であって流量が零であるはずのときであっても、ガス供給側の配管に接続された近隣の複数のガス消費機器の使用状況によっては、例えば図４（ａ）に示したように、まったくランダムに変化する。ガス消費機器の使用開始や停止等に伴って生ずる圧力変動が多数重畳されるからである。これに対し、測定のためのサンプリング周期は一定である。このため、サンプリングにより得られる測定流量は、同図（ｂ）に示したように、プラス側およびマイナス側に比較的長いスパンで不定周期で変化することになる場合がある。
【０００８】
図４（ｂ）において、斜線の部分はバッファ機能によって相殺されなければならない部分である。しかし、外乱の影響によって検出された測定流量が大きい場合には、測定流量を積算した値がプラス側のバッファ機能の範囲（例えば１リットル）を越えてしまう場合がある。この場合には、プラス側のバッファ機能の範囲を越えた時点で流量積算値がカウントアップされ、その後にマイナス側に同量の測定流量が生じても相殺されない。例えば、同図（ｂ）のサンプリングタイミングｔ１においては、測定流量が小さく、これを積算した値がプラス側のバッファ機能の範囲内なので、同図（ｃ）に示したように、ガスメータの流量積算値のカウントアップは行われないが、サンプリングタイミングｔ２においては、測定流量を積算した値がプラス側のバッファ機能の範囲を越えるので、ガスメータの流量積算値のカウントアップが行われる。同様に、サンプリングタイミングｔ４，ｔ５，ｔ６，ｔ７においても、それぞれガスメータの流量積算値のカウントアップが行われる。すなわち、実際のガス使用が行われていないにもかかわらず、ガスメータの流量積算値としての誤積算が行なわれてしまう。
【０００９】
一方、外乱の影響によって検出される測定流量を完全に相殺できるようにバッファ機能の範囲を広くすることは、ガスメータの精度の低下を招くために好ましくない。
【００１０】
この問題を解決するため、本出願人は、例えば特開平８−１４９６１号公報にあるように、測定流量値に対してフィルタによって平滑化処理を施し、このフィルタの出力を積算した値がプラス側のバッファ機能の範囲を越えたときに、そのフィルタ出力値を積算してガスメータの流量積算値を求めることを提案している。
【００１１】
図５は、上記公報で提案しているガスメータの作用を表すものである。この図の（ａ）および（ｂ）は上記の図４（ａ），（ｂ）と同じものとして描いている。図５（ｃ）はフィルタを通過して平滑化された流量値を表し、同図（ｄ）はガスメータの流量積算値を表すものである。図５（ｃ）に示したように、上記提案に係るガスメータでは、測定流量の時間的変化に対して、平滑化処理後の流量の時間的変化は振幅の小さいものとなる。このため、平滑化処理後の流量の積算値がプラス側のバッファ機能の範囲を越えるおそれは少なくなる。例えば、サンプリングタイミングｔ２，ｔ４においては、平滑化処理後の流量の積算値はプラス側のバッファ機能の範囲を越えず、誤ってカウントアップされることがない。したがって、外乱の影響による誤計測の防止に一定の効果が認められる。
【００１２】
ところが、図５（ｂ）に示したように、測定流量がプラス側に長期間続いたときには、同図（ｃ）に示したように測定流量値を平滑化して振幅を小さくしたとしても、その平滑化処理の値を長期間積算することになることから、その積算値がプラス側のバッファ機能の範囲を越える場合がある。このため、図５（ｄ）に示したように、例えばサンプリングタイミングｔ５，ｔ７においてガスメータの流量積算値が誤ってカウントアップされることになる。すなわち、実際のガス使用が行われていないにもかかわらず、依然としてガスメータの流量積算値としての誤積算が行なわれてしまうという問題があった。
【００１３】
本発明はかかる問題点に鑑みてなされたもので、その目的は、圧力変動等の外乱の影響による誤計測を効果的に防止することができるようにしたガスメータを提供することにある。
【００１４】
【課題を解決するための手段】
請求項１記載のガスメータは、ガスの流量を測定するための流量測定手段と、この流量測定手段による測定値に対して平滑化処理を施す第１の平滑化手段と、この第１の平滑化手段による平滑化処理後の値に応じて、その値をそのまま出力するか、あるいは他の値に置き換えて出力するかを判定し、その値を出力する判定手段と、この判定手段からの出力値に対して平滑化処理を施す第２の平滑化手段と、この第２の平滑化手段による平滑化処理後の値を積算し、その積算値が所定の範囲を超えたときに、第２の平滑化手段による平滑化処理後の値を出力する緩衝手段と、この緩衝手段からの出力値を積算する積算手段とを備えている。
【００１５】
このガスメータでは、流量測定手段による測定値に対して第１の平滑化手段による平滑化処理が行われ、その平滑化処理後の値に応じて、その値をそのまま出力するか、あるいは他の値に置き換えて出力するかの判定が判定手段によって行われる。さらに、判定手段からの出力値に対して第２の平滑化手段による平滑化処理が行われる。この平滑化処理後の値は緩衝手段によって相殺的に積算され、その積算値が所定の範囲を超えたときに、第２の平滑化手段による平滑化処理後の値が出力され、積算手段によって積算される。
【００１６】
請求項２記載のガスメータは、請求項１記載のガスメータにおいて、判定手段が、第１の平滑化手段による平滑化処理後の値が所定のしきい値を超えているときはその値をそのまま出力する一方、第１の平滑化手段による平滑化処理後の値が第１のしきい値以下のときは平滑化処理後の値を零に置き換えて出力するように構成したものである。
【００１７】
請求項３記載のガスメータは、請求項１記載のガスメータにおいて、第１の平滑化手段が、流量測定手段による測定値を所定の周期で取得し、前回の演算結果と今回取得した測定値とを所定の重み付けをもって平均化する演算を行うことにより、流量測定手段による測定値に対して平滑化処理を施すように構成したものである。
【００１８】
請求項４記載のガスメータは、請求項１記載のガスメータにおいて、第２の平滑化手段が、前回の演算結果と今回の判定手段からの出力値とを所定の重み付けをもって平均化する演算を行うことにより、判定手段からの出力値に対して平滑化処理を施すように構成したものである。
【００１９】
【発明の実施の形態】
以下、本発明の実施の形態について図面を参照して詳細に説明する。
【００２０】
図１は本発明の一実施の形態に係るガスメータの構成を表すブロック図である。この図に示すように、本実施の形態のガスメータは、フルイディック流量計とフローセンサとを併用したガスメータであり、フルイディック素子１１と、フローセンサ１２と、流量積算値を表示するための表示器１３と、これらを制御する計測制御部２０とを備えている。
【００２１】
フルイディック素子１１は、いずれも図示しないが、噴流を発生させるノズルと、このノズルの下流側に設けられ、流路拡大部を形成する一対の側壁と、この側壁の外側に設けられ、ノズルを通過した流体を各側壁の外側に沿ってノズルの噴出口側へ導く一対のフィードバック流路を形成するリターンガイドと、ノズルの噴出口近傍に設けられた２つの導圧孔と、この２つ導圧孔に接続され、２つ導圧孔間の差圧を検出する圧電膜センサとを備えている。そして、圧電膜センサの出力がフルイディック素子１１の出力として計測制御部２０に入力されるようになっている。
【００２２】
フローサンサ１２は、例えばフルイディック素子１１のノズルの通路内に配設され、発熱部と、この発熱部の前後に配置された２つの温度センサとを備えている。
【００２３】
計測制御部２０は、フルイディック素子１１とフローセンサ１２の各出力を入力として、これを基に流量を演算する流量演算部２１と、この流量演算部２１に接続され、そこで演算された測定流量に対して所定の平滑化処理を施すフィルタ部２２と、このフィルタ部２２に接続され、そこでの平滑化処理後の値を積算した値が所定値を越えたときに、平滑化処理後の値を出力するバッファ部２３と、このバッファ部２３に接続され、そこから出力される値を積算する積算部２４とを備えている。流量演算部２１の出力端はまた、フィルタ部２２およびバッファ部２３を介さずに、直接、積算部２４の入力端に接続されている。そして、流量演算部２１は、流量の大きさに応じてフィルタ部２２または積算部２４に対し、演算した流量値を出力するようになっている。この計測制御部２０は、例えばマイクロコンピュータを用いて構成される。そして、流量演算部２１、フィルタ部２２、バッファ部２３および積算部２４はそれぞれ、図示しないＲＯＭ（Read Only Memory）に格納されたプログラムを実行することによって動作するようになっている。ここで、フルイディック素子１１、フローセンサ１２および流量演算部２１が本発明における「流量測定手段」に対応し、バッファ部２３が本発明における「緩衝手段」に対応し、積算部２４が本発明における「積算手段」に対応する。
【００２４】
フィルタ部２２は、第１の平均化処理部２２ａと、判定部２２ｂと、第２の平均化処理部２２ｃとを含んで構成されている。第１の平均化処理部２２ａは、流量演算部２１により得られた測定流量に対して所定の平滑化処理を施すためのものである。判定部２２ｂは、第１の平均化処理部２２ａによる平滑化処理後の値に応じて、その値をそのまま出力するか、あるいは他の値に置き換えて出力するかを判定し、その値を出力するようになっている。また、第２の平均化処理部２２ｃは、判定部２２ｂからの出力値に対して所定の平滑化処理を施すためのものである。第１の平均化処理部２２ａおよび第２の平均化処理部２２ｃの平滑化処理は、所定の平均化式に基づいた演算処理であり、その詳細は後述する。ここで、第１の平均化処理部２２ａが本発明における「第１の平滑化手段」に対応し、判定部２２ｂが本発明における判定手段に対応し、第２の平均化処理部２２ｃが本発明における「第２の平滑化手段」に対応する。
【００２５】
次に、図２を参照して、本実施の形態のガスメータの動作について説明する。
【００２６】
本実施の形態のガスメータでは、フルイディック素子１１は大流量域での測定に用いられ、フローセンサ１２は小流量域での測定に用いられるようになっている。但し、両者の測定領域は一部重複している。なお、図２は、フローセンサ１２を用いて測定を行う処理部分についてのみ図示したもので、フルイディック素子１１を用いて測定する処理部分については省略している。
【００２７】
流量演算部２１は、流量がフルイディック素子１１のみの測定領域にあるときはフルイディック素子１１の出力から流量を演算して積算部２４に直接入力する一方、流量がフローセンサ１２のみの測定領域にあるときはフローセンサ１２の出力から流量を演算してフィルタ部２２に入力する。具体的には、流量演算部２１は、フルイディック素子１１の出力から流量を演算する場合は、フルイディック素子１１の出力を２値化してパルスを生成し、単位時間当たりのパルスの数をカウントして、フルイディック発振の周波数を求め、この周波数を流量に換算して積算部２４に入力する。また、流量演算部２１は、フローセンサ１２の出力から流量を演算する場合は、一定電流または一定電力で発熱部を発熱させたときの２つの温度センサの温度差に応じて出力される単位時間当たりのパルスの数をカウントして、流量を求め（ステップＳ１０１）、フィルタ部２２に入力する。但し、フローセンサ１２の２つの温度センサの温度差を一定に保つための発熱部の供給電力から流量を求めるようにしてもよい。なお、流量がフルイディック素子１１とフローセンサ１２で重複する測定領域にあるときは、流量演算部２１は、いずれか一方の出力から流量を求めるようにしてもよいし、両者の出力を用いた演算（例えば平均値をとる等）によって流量を求めるようにしても良い。あるいは特開平３−９６８１７号公報に示されるように、フルイディック素子１１による測定値に基づいてフローセンサ１２による測定値を較正するようにしてもよい。
【００２８】
流量演算部２１からの出力（測定流量）を受けた積算部２４は、この出力値を積算して、ガスメータの流量積算値とし、表示器１３によってその値を表示する。
【００２９】
一方、流量演算部２１からの出力（測定流量）を受けたフィルタ部２２の第１の平均化処理部２２ａは、次の式（１）による平均化演算を行うことにより、流量演算部２１から得た測定流量に対して第１の平滑化処理を施す（ステップＳ１０２）。
【００３０】
ａi ＝〔（２m −１）Ｙi-1 ＋Ｘi 〕／２m   …（１）
【００３１】
ここで、Ｘi は今回、流量演算部２１より取得した測定流量を示し、Ｙi-1 は前回のフィルタ部２２における演算結果を示し、ａi は第１の平均化処理部２２ａにおける演算結果を表す。また、２m は、平均化の重み付けを表し、ｍは任意の自然数である。
【００３２】
この（１）式から分かるように、フィルタ部２２の第１の平均化処理部２２ａによる平均化演算は、前回の演算結果Ｙn-1 に平均化の重み付け２m から１を差し引いたものを乗じた値と、今回取得した測定流量Ｘn とを加算して、この加算値を平均化の重み付け２m で除するという演算を行うものであり、これにより、測定流量に対して平滑化処理を施すようになっている。
【００３３】
判定部２２ｂは、第１の平均化処理部２２ａによって得られた平均値ａi が所定のしきい値ａth以下のときは（ステップＳ１０３；Ｙ）、平均値ａi を“０”に置き換えて出力値ａi ′とする一方（ステップＳ１０４）、平均値ａi がしきい値ａthを超えているときは（ステップＳ１０３；Ｎ）、その平均値ａi をそのまま出力値ａi ′とする。ここで、判定の基準となるしきい値ａthは、例えば１リットル／ｈに設定する。
【００３４】
第２の平均化処理部２２ｃは、次の（２）式による平均化演算を行うことにより、判定部２２ｂから出力された値ａi ′に対して第２の平滑化処理を施す（ステップＳ１０５）。
【００３５】
Ｙi ＝〔（２n −１）Ｙi-1 ＋ａi ′〕／２n   …（２）
【００３６】
ここで、Ｙi-1 は（１）式と同じく前回のフィルタ部２２における演算結果を示し、Ｙi は第２の平均化処理部２２ｃにおける演算結果を示す。また、２n は、平均化の重み付けを表し、n は任意の自然数である。
【００３７】
バッファ部２３は、例えば、マイナス側４リットル、プラス側１リットルの範囲でフィルタ部２２の出力を積算した値を相殺し（ステップＳ１０６）、フィルタ部２２の出力を積算した値がプラス側１リットルの範囲を越えたときにのみ（ステップＳ１０７；Ｙ）、フィルタ部２２の第２の平均化処理部２２ｃの出力を後段の積算部２４に出力する。積算部２４は、このフィルタ部２２の出力値を積算して、ガスメータの流量積算値とする（ステップＳ１０８）。そして、表示器１３は積算部２４で求められたガスメータの流量積算値を表示する（ステップＳ１０９）。
【００３８】
次に、図３を用いて、本実施の形態のガスメータにおいて、圧力変動等の外乱の影響による誤計測が防止されることを説明する。図３（ａ）は、流量が零のときに外乱の影響によってフローセンサの部分を通過するガスの流れの時間的変化を表すものである。同図（ｂ）はフローセンサの出力を一定周期Ｔごとにサンプリングして得られた測定流量の時間的変化を示している。同図（ｃ）はフィルタ部２２を通過した後の流量値を示し、同図（ｄ）は、ガスメータの流量積算値の変化を表すものである。ここで、図３（ａ），（ｂ）は、従来技術の項で示した図５（ａ），（ｂ）と同じものとして描いている。
【００３９】
従来のガスメータでは、図５において説明したように、圧力変動等の外乱が長期間継続すると、平滑化処理により振幅を小さくしたにもかかわらず、バッファの範囲を越えて、ガスメータの流量積算値としての積算が行われてしまう。これに対し、本実施の形態のガスメータでは、流量演算部２１で求められた測定流量はフィルタ部２２で２段階の平滑化処理が施されるため、図３（ｂ）に示した測定流量の時間的変化に対して、フィルタ部２２を通過した後の流量の時間的変化は図３（ｃ）に示したように振幅が十分に小さいものとなる。そして、このフィルタ部２２を通過した後の流量がバッファ部２３に入力されるが、フィルタ部２２を通過した後の流量は時間的変化の振幅が小さいので、流れがプラス側に長時間継続した場合であっても、流量値の積算した値がバッファ部２３におけるバッファの範囲を越えることがない。そのため、図３（ｄ）に示したように、積算部２４では、ガスメータの流量積算値としての積算は行われず、外乱の影響による誤計測が防止される。
【００４０】
ここで、上記した（１）式および（２）式の意義についてさらに詳細に説明する。上記のように、（１）式は、前回の演算結果Ｙn-1 に平均化の重み付け２m から１を差し引いたものを乗じた値と、今回取得した測定流量Ｘn とを加算して、この加算値を平均化の重み付け２m で除するという演算を行うものであるが、この平均化の重み付け２m 、すなわちｍの値を大きくする程、今回取得した測定流量Ｘn が第１の平均化処理部２２ａの演算結果に及ぼす影響を小さくすることができ、結果として、圧力変動等の外乱による誤計測を効果的に防止することができる。但し、このｍの値をあまりに大きくすると、流量が実際に大きく変化しているにもかかわらず、それが検知されるまでに長時間を要することとなり、測定の応答性が低下するおそれがある。逆に、ｍの値を小さくすると、今回取得した測定流量Ｘn が第１の平均化処理部２２ａの演算結果に及ぼす影響が大きくなって測定の応答性は向上するが、ｍの値を小さくし過ぎると、外乱による誤計測が生じ易くなり、測定精度が低下する。したがって、実際には、測定の応答性をあまり悪化させない範囲内においてできる限り大きなｍの値を設定することが好ましい。
【００４１】
このことは、（２）式においても全く同様であり、ｎの値を大きくすると、外乱による誤計測の防止を担保できる反面、測定の応答性が低下し、ｎの値を小さくすると、測定の応答性が向上する反面、外乱による誤計測が生じ易い。したがって、ｎの値についても、両者のバランスを図って適切に設定することが好ましい。
【００４２】
例えば、第１の平均化処理部２２ａの処理については応答性よりも誤計測の発生防止に重点を置く一方、第２の平均化処理部２２ｃによる処理については、誤計測の発生防止よりも応答性に重点を置く、という方法が考えられる。この場合には、例えば、ｍ＝３とし、ｎ＝１とするのが好適である。これとは逆に、第１の平均化処理部２２ａの処理については誤計測の発生防止よりも応答性に重点を置く一方、第２の平均化処理部２２ｃによる処理については、応答性よりも誤計測の発生防止に重点を置く、という方法も考えられる。さらに、第１の平均化処理部２２ａおよび第２の平均化処理部２２ｃの双方において、応答性よりも誤計測の発生防止に重点を置くようにしたり、あるいは誤計測の発生防止よりも応答性に重点を置くようにしてもよい。
【００４３】
また、供給圧力の変動量の大きさを考慮して、平均化の重み付け２m ，２n を決定するｍ，ｎの値を設定するようにしてもよい。例えば、供給圧力の変動量が比較的大きい場合にはｍ，ｎの値をより大きく設定し、供給圧力の変動量が比較的小さい場合にはｍ，ｎの値をより小さく設定するのが望ましい。
【００４４】
以上のように、本実施の形態に係るガスメータによれば、流量演算部２１により得られた流量測定値に対して平均化処理を行い、これにより得られた平均値が所定のしきい値ａthを超えるときはその平均値を用いてさらに平均化処理を行う一方、得られた平均値がしきい値ａth以下のときは流量値を０とみなした上でさらに平均化処理を行うようにしたので、これらの２段階の平均化処理によって流量変動の振幅が十分に縮小化される。このため、バッファ部２３において流量変動がプラス側とマイナス側とでほぼ完全に相殺され、その積算値がプラス側のバッファ機能の範囲を超えることが殆どなくなる。したがって、圧力変動等の外乱に伴う誤計測を従来よりも効果的に防止することができる。
【００４５】
以上、実施の形態を挙げて本発明を説明したが、本発明はこの実施の形態に限定されず、種々の変形が可能である。例えば、上記の各実施の形態では、バッファ部２３におけるバッファの範囲を、マイナス側４リットル、プラス側１リットルとして説明したが、これに限らず、適宜設定するようにしてもよい。
【００４６】
また、上記の実施の形態では、平均化の重み付けを２m という巾乗の形にしたが、これに限らず、任意の自然数ｋを平均化の重み付けとしてもよい。但し、マイクロコンピュータによる演算を容易化するためには、２m という巾乗の形が望ましい。
【００４７】
また、上記の実施の形態では、判定の基準となるしきい値ａthを、例えば１リットル／ｈに設定するとしたが、その他の値に設定してもよい。例えば、供給圧力の変動量が比較的大きい場合にはしきい値ａthをより大きく設定し、供給圧力の変動量が比較的小さい場合にはしきい値ａthをより小さく設定するのが望ましい。
【００４８】
また、上記の実施の形態では、流量が零のときに気体の圧力変動等の外乱があった場合について説明したが、本実施の形態のガスメータでは、流量が零ではないときに気体の圧力変動等の外乱があった場合においても、フィルタ部２２による平滑化処理によって、外乱によるノイズ分が低減されるため、測定精度が向上する。
【００４９】
なお、本発明は上記実施の形態に限定されず、例えば、流量測定手段としてフルイディック素子１１およびフローセンサ１２の双方を用いたものに限らず、フローセンサ１２のみを用いたものや、フルイディック素子１１のみを用いたものであってもよい。さらに、他の流量センサを用いたものでもよい。
【００５０】
【発明の効果】
以上説明したように本発明のガスメータによれば、流量測定値に対して第１の平滑化手段による平滑化処理を行って、その平滑化処理後の値に応じ、その値をそのまま出力するか、あるいは他の値に置き換えて出力するかの判定を行い、さらに、判定手段からの出力値に対して第２の平滑化手段による平滑化処理を行うようにしたので、これらの２段階の平滑化処理によって流量変動の振幅が十分に縮小化された上で緩衝手段に入力される。このため、緩衝手段においては、平滑化処理後の値がほぼ完全に相殺され、その積算値が所定の範囲を超えることが殆どなくなる。したがって、圧力変動等の外乱に伴う誤計測を従来よりも効果的に防止することができるという効果がある。
【図面の簡単な説明】
【図１】本発明の一実施の形態に係るガスメータの要部の構成を表すブロック図である。
【図２】図１のガスメータの計測制御部の動作を説明するための流れ図である。
【図３】図１のガスメータの作用を説明するための特性図である。
【図４】従来のバッファ機能を備えたガスメータの作用を説明するための特性図である。
【図５】従来のバッファ機能を備えた他のガスメータの作用を説明するための特性図である。
【符号の説明】
１１…フルイディック素子、
１２…フローセンサ、
１３…表示器、
２０…計測制御部、
２１…流量演算部、
２２…フィルタ部、
２２ａ…第１の平均化処理部、
２２ｂ…判定部、
２２ｃ…第２の平均化処理部、
２３…バッファ部、
２４…積算部
【図１】
0003652485.tif 000002
【図２】
0003652485.tif 000003
【図３】
0003652485.tif 000004
【図４】
0003652485.tif 000005
【図５】
0003652485.tif 000006